(57)【特許請求の範囲】
【請求項１】
内部ディスプレイを有する前面と、外部ディスプレイを有する背面とを有するフリップモジュールを、キーパッドを有するベースモジュールに枢動可能に接続する、電子機器用のヒンジ組立体であって、
円筒状の回転可能な組立体を備え、
前記円筒状の回転可能な組立体は、当該円筒状の回転可能な組立体に関連する回転可能軸を中心として、前記フリップモジュールを前記ベースモジュールに対して相対的に回転させることができるように構成され、
前記円筒状の回転可能な組立体は、当該円筒状の組立体の外面に配置され、スクロールアップ動作及びスクロールダウン動作を含むスクロール機能と、パンレフト動作及びパンライト動作を含むパン機能と、を実行するように構成されたフリーホイール部をさらに備え、
前記ヒンジ組立体は、
前記フリップモジュールが前記ベースモジュールと接触しており、前記外部ディスプレイに表示されたユーザインターフェース（ＵＩ）が、前記円筒状の回転可能な組立体の前記フリーホイール部によって制御されるフリップ閉状態と、
前記フリップモジュールが前記ベースモジュールから実質的に離れており、前記キーパッドが接触可能であり、前記内部ディスプレイに表示された前記ＵＩが前記円筒状の回転可能な組立体の前記フリーホイール部によって制御されるフリップ開状態と、を有するヒンジ組立体。
【請求項２】
前記フリーホイール部は、前記回転可能軸に沿って回転するように構成されたシリンダをさらに備え、当該可動シリンダは前記ＵＩを制御する請求項１のヒンジ組立体。
【請求項３】
前記フリーホイール部は、回転指示を受け付けるように構成された機械式フリーホイールをさらに備え、当該回転指示は前記ＵＩを制御する請求項１のヒンジ組立体。
【請求項４】
前記電子機器は、画像を取り込むように構成されたカメラをさらに備え、当該画像は前記ディスプレイのうちの１つに提示され、
前記フリーホイール部は、ズームイン動作及びズームアウト動作を含むズーム機能を実行するように構成される請求項１のヒンジ組立体。
【請求項５】
前記フリーホイール部は、前記ＵＩに関連する選択を承認することを含む選択機能を実行するように構成される請求項１のヒンジ組立体。
【請求項６】
内部ディスプレイを有する前面と、外部ディスプレイを有する背面とを有するフリップモジュールを、キーパッドを有するベースモジュールに枢動可能に接続する、電子機器用のヒンジ組立体であって、
円筒状の回転可能な組立体を備え、
前記円筒状の回転可能な組立体は、当該円筒状の回転可能な組立体に関連する回転可能軸を中心として、前記フリップモジュールを前記ベースモジュールに対して相対的に回転させることができるように構成され、
前記円筒状の回転可能な組立体は、当該円筒状の組立体の外面に配置され、スクロールアップ動作及びスクロールダウン動作を含むスクロール機能と、ナビゲーションキー機能と、を実行するように構成されたフリーホイール部をさらに備え、
前記ヒンジ組立体は、
前記フリップモジュールが前記ベースモジュールと接触しており、前記外部ディスプレイに表示されたユーザインターフェース（ＵＩ）が、前記円筒状の回転可能な組立体の前記フリーホイール部によって制御されるフリップ閉状態と、
前記フリップモジュールが前記ベースモジュールから実質的に離れており、前記キーパッドが接触可能であり、前記内部ディスプレイに表示された前記ＵＩが前記円筒状の回転可能な組立体の前記フリーホイール部によって制御されるフリップ開状態と、を有し、
前記ナビゲーションキー機能は、
ズームイン動作及びズームアウト動作を含むズーム機能と、
パンレフト動作及びパンライト動作を含むパン機能と、
前記ＵＩに関連する選択を承認することを含む選択機能と、を含むヒンジ組立体。
【請求項７】
無線通信装置であって、
内部ディスプレイを有する前面と、外部ディスプレイを有する背面とを有し、前記内部ディスプレイ及び前記外部ディスプレイは、ユーザインターフェース（ＵＩ）を提示すように構成されるフリップモジュールと、
キーパッドを有するベースモジュールと、
円筒状の回転可能な組立体と、を備え、
前記円筒状の回転可能な組立体は、当該円筒状の回転可能な組立体に関連する回転可能軸を中心として、前記フリップモジュールを前記ベースモジュールに対して相対的に回転させることができるように構成され、
前記円筒状の回転可能な組立体は、当該円筒状の組立体の外面に配置され、スクロールアップ動作及びスクロールダウン動作を含むスクロール機能と、パンレフト動作及びパンライト動作を含むパン機能と、を実行するように構成されるタッチセンサ部をさらに備え、
前記無線通信装置は、
前記フリップモジュールが前記ベースモジュールと接触しており、前記外部ディスプレイに表示されたユーザインターフェース（ＵＩ）が、前記円筒状の回転可能な組立体の前記タッチセンサ部によって制御される、フリップ閉状態と、
前記フリップモジュールが前記ベースモジュールから実質的に離れており、前記キーパッドが接触可能であり、前記内部ディスプレイに表示された前記ＵＩが前記円筒状の回転可能な組立体の前記タッチセンサ部によって制御される、フリップ開状態と、を有する無線通信装置。
【請求項８】
前記タッチセンサ部は、前記回転可能軸に沿って回転するように構成されたタッチセンサ式シリンダをさらに備え、当該可動シリンダは前記ＵＩを制御する請求項７の無線通信装置。
【請求項９】
前記タッチセンサ部は、静電容量式オーバーレイを有する静止シリンダをさらに備え、当該静止シリンダは、接触感応による回転指示を受け付けるように構成され、当該回転指示は前記ＵＩを制御する請求項７の無線通信装置。
【請求項１０】
画像を取り込むように構成されたカメラをさらに備え、当該画像は前記ディスプレイのうちの１つに提示され、前記タッチセンサ部は、ズームイン動作及びズームアウト動作を含むズーム機能を実行するように構成される請求項７の無線通信装置。
【請求項１１】
前記タッチセンサ部は、前記ＵＩに関連する選択を承認することを含む選択機能を実行するように構成される請求項７の無線通信装置。
【請求項１２】
前記タッチセンサ部は、ナビゲーションキー機能をさらに備え、
前記ナビゲーションキー機能は、
ズームイン動作及びズームアウト動作を含むズーム機能と、
パンレフト動作及びパンライト動作を含むパン機能と、
前記ＵＩに関連する選択を承認することを含む選択機能と、を含む請求項７の無線通信装置。
【請求項１３】
内部ディスプレイを有する前面と、外部ディスプレイを有する背面とを有するフリップモジュールを、キーパッドを有するベースモジュールに枢動可能に接続する、電子機器用のヒンジ組立体であって、
回転可能な組立体を備え、
前記回転可能な組立体は、当該回転可能な組立体に関連する回転可能軸を中心として、前記フリップモジュールを前記ベースモジュールに対して相対的に回転させることができるように構成され、
前記回転可能な組立体は、複数のナビゲーション指示を受け付けるタッチセンサ部を含み、
前記複数のナビゲーション指示は、
前記タッチセンサ部と関連する前記組立体上で、スクロールアップ動作及びスクロールダウン動作を含むスクロール機能を実行するスクロール手段と、
前記タッチセンサ部と関連する前記組立体上で、ズームイン動作及びズームアウト動作を含むズーム手段と、
パンレフト動作及びパンライト動作を含む、前記タッチセンサ部に関連するパン手段と、
ユーザインターフェース（ＵＩ）に関連する選択を承認することを含む、前記タッチセンサ部に関連する選択手段と、を含み、
前記ヒンジ組立体は、
前記フリップモジュールが前記ベースモジュールと接触し、接触可能な前記外部ディスプレイに表示された前記ＵＩが、前記回転可能な組立体の前記タッチセンサ部によって制御される、フリップ閉状態と、
前記フリップモジュールが前記ベースモジュールから実質的に離れており、前記キーパッドが接触可能であり、前記内部ディスプレイに表示された前記ＵＩが前記回転可能な組立体の前記タッチセンサ部によって制御される、フリップ開状態と、を有するヒンジ組立体。
【請求項１４】
前記回転可能な組立体は、前記回転可能軸に沿って回転するように構成された機械式要素をさらに備え、当該可動要素は前記ＵＩを制御する請求項１３のヒンジ組立体。
【請求項１５】
前記回転可能な組立体は、前記ＵＩを制御する指示を受け付けるように構成された静止要素をさらに備える請求項１３のヒンジ組立体。
【請求項１６】
前記電子機器は、画像を取り込むように構成され、前記回転可能な組立体によって制御されるカメラをさらに備え、当該画像は前記ディスプレイのうちの１つに表示される請求項１３のヒンジ組立体。
【請求項１７】
前記電子機器は、メモリに記憶された複数の音楽ファイルをさらに備え、当該複数の音楽の曲名が前記外部ディスプレイに提示される請求項１３のヒンジ組立体。
【請求項１８】
受け付けられるナビゲーション指示は、前記外部ディスプレイに提示された音楽の曲名を選択するように構成される請求項１７のヒンジ組立体。
【発明の詳細な説明】
【技術分野】
【０００１】
本発明は、電子機器用のスクロールホイール付ヒンジ組立体に関する。特に、本発明は、ディスプレイハウジング部材をキーパッドハウジング部材に枢動可能に接続し、閉状態及び開状態の双方で使用可能なタッチセンサ部を含む無線通信装置用スクロールホイール付ヒンジ組立体に関する。
【背景技術】
【０００２】
より小型で機能豊富な無線通信装置に対する消費者の需要が高まってきている。より多くの機能及び特性を備える、より小型のセルフォンを実現する１つの方法は、２つの構成可変ハウジング部を有するセルを製造することである。そのような構成の１つには、クラムシェルのように開くフリップフォンがある。他の構成には、携帯電話の一部分が他の部分に対してスライドするスライドフォン、携帯電話の一部分が他の部分に対して回転して開くスイベルフォンが含まれる。
【０００３】
一般的には、クラムシェルのデザインを有するフリップフォンは、ヒンジを有する。ヒンジは、一種のベアリングであり、２つの固体を接続し、それら固体間において限られた角度だけ回転可能とする。ヒンジは一般的には、可撓材又は可動部品から成る。フリップフォンのヒンジは、通常、キーパッドハウジング部材をディスプレイハウジング部材に接続するのに用いられる。キーパッド部分は、フレキシブルプリント回路基板（ＰＣＢ）を用いてディスプレイ部分に動作可能に結合されることがある。また、無線通信装置のキーパッド部分は、ワイヤの束又はケーブルを用いてディスプレイ部分に動作可能に結合されてもよい。例えば、“クラムシェル”のデザインを有する伝統的なフリップフォンでは、ディスプレイハウジング部材は、キーパッドハウジング部材に枢動可能に取り付けられる。一般的に、ヒンジは、両ハウジング部材の端部間の全長に延び、ハウジング部材同士を枢動可能に接続する。
【０００４】
これらフリップフォンのいくつかは、サイドスクロールホイールを有する。サイドスクロールホイールは、ハンドセットの側面から接触可能なホイールである。これらのホイールは、側面から接触可能であり、その携帯電話内の異なるデータに目を通す時に用いることができる。例えば、クラムシェル型又はフリップ型の携帯電話は、携帯電話の側面にスクロールホイールを有することもある。スクロールホイールがフリップフォンの側面に配置される場合、側面の回転動作はスクロール機能に対して意味的に関連しない。また、キーパッドにはスクロールホイールを配置するためのスペースはほとんどあるいは全くない。従って、既存のサイドスクロールホイールは現在も使用可能ではあるが、ホイールをより直観的又はシンプルに使用できるようにすることにより、ユーザ体験は向上するであろう。
【発明の概要】
【０００５】
キーパッドを有するベースモジュールにフリップモジュールを枢動可能に接続する電子機器用ヒンジ組立体を説明する。フリップモジュールは、内部ディスプレイを有する前面と外部ディスプレイを有する背面とを有する。第１の実施形態においてヒンジ組立体は、フリーホイール部を有する円筒状の回転可能な組立体を含む。円筒状の回転可能な組立体は、当該円筒状の回転可能な組立体に関連する回転可能軸を中心として、フリップモジュールをベースモジュールに対して相対的に回転させることができるように構成されている。円筒状の回転可能な組立体は、当該円筒状の組立体の外面にフリーホイール部をさらに備える。フリーホイール部は、スクロールアップ動作及びスクロールダウン動作を含むスクロール機能を実行するように構成される。フリップ閉状態においては、フリップモジュールがベースモジュールと接触し、外部ディスプレイに表示されたユーザインターフェース（ＵＩ）は、円筒状の回転可能な組立体にあるフリーホイール部によって制御される。フリップ開状態においては、フリップモジュールがベースモジュールから実質的に離れており、キーパッドは接触可能であり、内部ディスプレイに表示されたＵＩは、ヒンジ組立体に関連するフリーホイール部によって制御される。
【０００６】
第２の実施形態において、無線通信装置は、円筒状の回転可能な組立体に関連するタッチセンサ部を含む。無線通信の実施形態には、フリップモジュールと、ベースモジュールと、フリップ開状態及びフリップ閉状態において関連するタッチセンサ部からのスクロール指示を受け付ける円筒状の回転可能な組立体とが含まれる。フリップモジュールは、内部ディスプレイを有する前面と外部ディスプレイを有する背面とを有し、内部ディスプレイ及び外部ディスプレイは、ユーザインターフェース（ＵＩ）を提示すように構成される。ベースモジュールは、キーパッドを有する。円筒状の回転可能な組立体は、当該円筒状の回転可能な組立体に関連する回転可能軸を中心として、フリップモジュールをベースモジュールに対して相対的に回転させることができるように構成される。円筒状の回転可能な組立体は、スクロールアップ動作及びスクロールダウン動作を含むスクロール機能を実行するように構成されたタッチセンサ部も、円筒状の組立体の外面に含む。フリップ閉状態においては、外部ディスプレイに表示されたＵＩは、円筒状の回転可能な組立体にあるタッチセンサ部によって制御される。フリップ閉状態においては、内部ディスプレイに表示されたＵＩも、円筒状の回転可能な組立体にあるタッチセンサ部によって制御される。
【０００７】
第３の実施形態において、電子機器に関連するヒンジ組立体は、ナビゲーション指示を受け付けるように構成される。ヒンジ組立体は、当該回転可能な組立体に関連する回転可能軸を中心として、フリップモジュールがベースモジュールに対して相対的に回転させることができるように構成されている回転可能な組立体を備える。回転可能な組立体は、複数のナビゲーション指示を受け付けるタッチセンサ部を含む。ナビゲーション指示は、スクロール手段、ズーム手段、パン手段及び選択手段を含む。スクロール手段は、スクロールアップ動作及びスクロールダウン動作を含むスクロール機能を実行する。ズーム手段は、ズームイン動作及びズームアウト動作を含む。パン手段は、パンレフト動作及びパンライト動作を含む。タッチセンサ部に関連する選択手段は、ユーザインターフェースに関する選択を承認する。
【図面の簡単な説明】
【０００８】
本発明は、以下の、限定するためではなく説明するための図面を参照することで、さらによりよく理解することができる。
【図１】図１は、開状態のワイヤレスハンドセットの説明図である。
【図２】図２は、閉状態のワイヤレスハンドセットの説明図である。
【図３】図３は、無線通信装置が様々な異なる規格を用いて通信する通信システムの説明図である。
【図４】図４は、一例としての無線通信装置に関連する複数の構成要素を示す。
【図５】図５は、開状態のヒンジ組立体上のスクロールホイールの実施形態の一例を示す。
【図６】図６は、閉状態のヒンジ組立体上のスクロールホイールの一例を示す。
【図７】図７は、閉状態のヒンジ組立体上のナビゲーションホイールの実施形態の一例を示す。
【図８】図８は、開状態のヒンジ組立体上のナビゲーションホイールの実施形態の一例を示す。
【発明を実施するための形態】
【０００９】
当業者であれば、以下の説明は例示的なものであり、決して制限するものではないことが分かる。本開示の恩恵を受けるそのような当業者には、請求した内容の他の実施形態が容易に思いつくであろう。当業者であれば、以下に説明するシステム及び装置は、構成や詳細に関して異なってもよいことが分かるであろう。また、ヒンジ組立体は、本明細書に開示した一例としてのヒンジ組立体から逸脱することなく、詳細や、回転組立体の詳細、構成要素又は要素に関して異なっていてもよい。
【００１０】
スクロールホイール付ヒンジ組立体をここに説明する。説明するスクロールホイールのヒンジ組立体は、ヒンジ構成要素及びディスプレイ構成要素を有する電子機器に適用することができる。説明のために、本明細書に提示した実施形態は、フリップフォンとも呼ばれるクラムシェルフォン等の無線通信装置用のものである。
【００１１】
クラムシェルフォンは、ともに保持されヒンジで回転するフリップモジュール及びベースモジュールを有する。開いた状態において、フリップモジュールのメインの「内部」ディスプレイ及び、ベースモジュールにあるキーパッドは、眺めることができると共に触れることができる。一例としてのフリップモジュールには、内部ディスプレイと、外部ディスプレイと、カメラと、送受信機とが含まれる。一例としてのベースモジュールには、バッテリと、キーパッドと、１つ以上のサイドキーと、コネクタのインプット／アウトプットインターフェースとが含まれる。ヒンジにより、ベースモジュールとフリップモジュールとの間の旋回が提供され、その携帯電話のこれら２つの部品が接続される。
【００１２】
特に、本明細書には、ヒンジ上のスクロールホイールの３つの実施形態が提示されている。第１の実施形態において、ヒンジ組立体には、回転してユーザインターフェース（ＵＩ）を通してスクロールアップ及びスクロールダウンできるフリーホイールが含まれる。また、フリーホイールの実施形態は、画像やウェブページのズームイン及びズームアウトに対応する。フリーホイールヒンジの実施形態においては、ホイールは、携帯電話のヒンジの中間位置に配置される。この実施形態においてスクロールホイールは、スクリーンの直下にあるので、スクロールホイールは、操作が意味的によりユーザフレンドリで直観的になる。また、スクロールホイールの機能がヒンジに組み込まれているために、サイドスクロールホイールを別途設ける場合のコストを削減するので、製造コストを削減することができる。
【００１３】
第２の実施形態においてスクロールホイールは、タッチセンサ部を含む。タッチセンサ部は、スクロールホイールと同じように触られると、上述したフリーホイールの実施形態と同じように動作する「スクロール」ホイールと関連する円筒状の静電容量式キーであってもよい。タッチセンサ式スクロールホイールの第２の実施形態において、静電容量式静止シリンダを、フリーホイールの実施形態の代用として用いてもよい。
【００１４】
第３の実施形態においてタッチセンサ部は、ナビゲーションキーと同様に動作する。そのため、タッチセンサ式ヒンジの「スクロール」組立体を用いて、スクロールアップ、スクロールダウン、ズームイン、ズームアウト、パンレフト、パンライト等の動作を行うことができ、ユーザは、タッチセンサ部を１回以上タッピングすることでエンター機能を選択又は実施することができる。
【００１５】
図１を参照すると、フリーホイールを含むヒンジ組立体を有する、開状態のワイヤレスハンドセットが示されている。無線通信装置１０は、フリップモジュール又はディスプレイハウジング部材１２、ベースモジュール又はキーパッドハウジング部材１４及び、ヒンジ組立体１６を含む。一例としての実施形態においてディスプレイハウジング部材１２は、フリップモジュール１２の前面２０に第１の内部ディスプレイ１８を含む。ベースモジュール１４は、数字や文字を入力するために用いることができる英数字キーや、キーの近くに表示された機能を実行するソフトキー等の入力キー又は、他の同様のキー配列を含む。
【００１６】
また、ワイヤレスハンドセットは、図１の開状態から図２の閉状態へ移行するように構成されている。無線通信装置１０は、ヒンジ組立体１６を中心に、フリップモジュール１２及びベースモジュール１４を互いに相対的に枢動させることで閉状態に移行する。
【００１７】
図２を参照すると、一例として、閉状態のワイヤレスハンドセットが示されている。閉状態では、ヒンジ組立体１６及びディスプレイハウジング部材１２の背面２２が示されている。ディスプレイハウジング部材１２の背面２２は、第２の外部ディスプレイ２４とカメラ２６を含む。作動中、無線通信装置１０は、ヒンジ組立体１６を中心に、ディスプレイハウジング部材１２及びキーハウジング部材１４を互いに相対的に枢動させることで（図１に示したように）閉状態から開かれる。この開くステップにより、無線通信装置１０を起動させたり、着信に応えたりすることができるが、それは例であり、それに限定されるものではない。
【００１８】
第１の内部ディスプレイ１８は、フリップモジュールとも呼ばれるディスプレイハウジング部材１２と関連付けられる。内部ディスプレイ１８は、フリップモジュール１２の前面２０に配置される。第２の外部ディスプレイ２４は、ディスプレイハウジング部材１２の背面２２にある。第２の外部ディスプレイ２４は、第１の内部ディスプレイ１８よりも典型的には小さくてもよい。また、第２の外部ディスプレイ２４は、一例としての無線通信装置１０においてカメラ２６の近くにある。
【００１９】
内部ディスプレイ１８及び外部ディスプレイ２４は、シングル表示モード又はデュアル表示モードで動作することができる。シングル表示モードでは、内部ディスプレイ１８及び外部ディスプレイ２４の両方が実質的に同じＵＩを提示する。デュアル表示モードでは、内部ディスプレイ１８のＵＩは、外部ディスプレイ２４のＵＩと実質的に異なる。例えば、開状態のデフォルトのＵＩは、様々な異なるアプリケーションを表示するホームスクリーンへのアクセスを提供する。しかしながら、閉状態では、デフォルトのＵＩが歌の曲名及び他の音楽に関連したデータファイルを提示する、音楽に特化したＵＩであってもよい。本明細書に説明したヒンジ組立体は、シングル表示モード又はデュアル表示モードの何れかで動作するようになっている。
【００２０】
一例としての第１の実施形態においてヒンジ組立体１６は、回転してユーザインターフェース（ＵＩ）を通して、画像又はウェブページをスクロールアップ、スクロールダウン、ズームイン、ズームアウトできるフリーホイールを含む。フリーホイールヒンジの実施形態においてフリーホイールは、ヒンジ組立体１６の中間位置にある円筒状の回転可能な組立体と関連付けられ、可動シリンダ、すなわち、フリーホイールは、フリーホイールと接触するユーザによって動く又は回転する。この実施形態において、フリーホイールスクロールホイールは、スクリーンの直下にあるので、スクロールホイールは、意味的に操作がよりユーザフレンドリで直観的になる。
【００２１】
ここで図１及び図２を参照すると、フリーホイールが、ヒンジの特有な位置によってフリップ開状態及びフリップ閉状態の両方において接触可能となる。フリップ閉状態においては、フリップモジュール１２がベースモジュール１４と連動し、接触可能な外部ディスプレイ２４に表示されたＵＩは、円筒状の回転可能な組立体のフリーホイール部によって制御される。フリップ開状態においては、フリップモジュール１２がベースモジュール１４及び接触可能なキーパッドから実質的に離れており、内部ディスプレイ１８に表示されたＵＩも、フリーホイール部によって制御される。
【００２２】
従って、フリーホイールがヒンジにあるので、フリップ開状態及びフリップ閉状態の両方において接触可能であり、それを用いて音楽ファイル、動画ファイル、連絡先、メッセージ、電子メール及びウェブページを通してスクロールすることができる。また、フリーホイールは、画像、カメラ入力、ウェブページ及び他の閲覧操作に対してズームイン及びズームアウトの機能を実行することができる。
【００２３】
例えば、ヒンジスクロールホイールは、閉状態で用いることができ、閉状態でホイールを用いて音楽にアクセスしたり、楽曲をスクロールしたりすることができる。デュアル表示等の他の実施形態の例示においては、フリップフォンを閉状態のままで、外部ディスプレイ２４のユーザインターフェースが、曲目や歌を提示する。フリーホイールを有するヒンジ組立体１６は、共通のサイドスクロールホイールを採用する、ウェブ閲覧用のウェブページや、連絡先、メッセージ、電子メール、及びその他のアプリケーションをスクロールすることに用いることができる。
【００２４】
また、カメラ２６は、画像を取り込むように構成され、当該画像はディスプレイ１８又は２４の何れか一方に提示されてもよい。そして、フリーホイール部は、カメラ２６によって取り込んだ画像又は動画に対してズームイン動作及びズームアウト動作を行うように構成されている。
【００２５】
さらに、ヒンジ組立体１６に関連するフリーホイール部は、パンレフト動作及びパンライト動作を含むパン機能を実行するように構成されてもよい。パンレフト及びパンライトの動作は、以下にさらに詳細を説明するように、タッチセンサ部をフリーホイール部に組み込むことによって実現してもよい。
【００２６】
タッチ式センサには様々な種類のものがある。それらは、表面型静電容量式タッチセンサ及び投影型静電容量式タッチセンサを含む静電容量式タッチセンサ、及び抵抗式タッチセンサを含むが、それらに限定はされない。示したように、タッチセンサのオーバーレイは、静電容量式オーバーレイであってもよい。なお、静電容量式オーバーレイとして説明したが、タッチセンサのオーバーレイは、他の如何なる適当なタッチセンサであってもよいことが分かる。
【００２７】
さらに、フリーホイール部は、ＵＩに関連する選択を承認することを含む選択機能又はエンター機能を実行するように構成されてもよい。一例としての実施形態において、選択のプロセスは、フリーホイール部に関連するタッチセンサ部において、１回又は２回のタッピングを受け付けることを含んでもよい。
【００２８】
さらに、フリーホイール部は、ナビゲーションキー機能として動作することもできる。ナビゲーションキーの実施形態においては、動いているフリーホイールが、ズームイン動作及びズームアウト動作、そしてスクロールアップ機能及びスクロールダウン機能を実行する。ヒンジ組立体に関連するタッチセンサ部は、パンレフト動作及びパンライト動作に対応し、タッチセンサ部を１回以上タッピングすることで、選択機能が選択を承認する。
【００２９】
図３を参照すると、無線通信装置が様々な異なる規格を用いて通信する一例としての通信システムが示されている。一例としてのシステム５０において、無線通信装置１０は、異なる通信アクセス技術（ＣＡＴ）を用いて１つ以上の基地局５４，５６，５８と通信するように構成されるワイヤレスハンドセットである。一例としての基地局は、様々な異なる通信規格を用いるワイヤレスハンドセットと通信することができる。ワイヤレスハンドセットは、符号分割多元接続（ＣＤＭＡ）、直交周波数分割多元接続（ＯＦＤＭＡ）、時分割多元接続（ＴＤＭＡ）の様々な形式の無線インターフェースを含むがそれらに限定されない。例えば、ワイヤレスハンドセット１０は、ＣＤＭＡ技術を用いて１．９ＧＨｚで動作する、ＣＡＴを用いる基地局５４と通信するが、これに限定されるものではない。また、ワイヤレスハンドセット１０は、ＣＤＭＡを用いて８００ＭＨｚで動作する、ＣＡＴを用いる基地局５６とも通信するように構成されている。また、一例としてのハンドセット１０は、ＧＳＭ技術を９００ＭＨｚで用いて動作する、ＣＡＴを用いる基地局５８とも通信するように構成されている。ワイヤレスハンドセット１０は、インターネットクラウド６４へのアクセスを提供するモデム６２と動作可能に接続された、Ｗｉ−Ｆｉアクセスポイント６０を含むことができるワイヤレスローカルエリアネットワーク（ＷＬＡＮ）用の信号を監視するようにも構成されている。
【００３０】
一例としての無線通信装置１０は、ワイヤレスハンドセット、モバイルハンドセット、モバイルフォン、ワイヤレスフォン、ポータブルセルフォン、セルラーフォン、ポータブルフォン、携帯情報端末（ＰＤＡ）又は、常にユーザに携行され、無線通信システムにおける動作に必要な全ての要素を有するあらゆる種類の、携帯端末とも呼ばれる。各ＣＡＴ受信機モジュールは、受信機の要件を有する無線規格に準拠している。無線規格は、符号分割多元接続（ＣＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｕｎｉｖｅｒｓａｌ  Ｍｏｂｉｌｅ  Ｂｒｏａｄｂａｎｄ（ＵＭＢ）、ワイヤレスローカルエリアネットワーク（ＷＬＡＮ）、ワイヤレスパーソナルエリアネットワーク（ＷＰＡＮ）、Ｍｏｂｉｌｅ  Ｂｒｏａｄｂａｎｄ  Ｗｉｒｅｌｅｓｓ  Ａｃｃｅｓｓ（ＭＢＷＡ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）又はＩＥＥＥ８０２．１６から成る規格の群から選択される。これらは一例ではあるが、それに限定されるものではない。なお、当業者であれば、無線通信装置、ワイヤレスハンドセット、モバイルハンドセット、ワイヤレスフォン、モバイルフォンといった用語は、置き換えても同じように使えることが分かる。
【００３１】
図４を参照すると、一例としての無線通信装置に関連する複数の構成要素が示されている。一例としてのマルチモードワイヤレスハンドセット１０は、マルチモード送信機モジュール１０６及びマルチモード受信機モジュール１０８と動作可能に接続されたデュプレックサ１０４に動作可能に連結される第１のアンテナ要素１０２を備える。アンテナ要素１０２は、ディスプレイハウジング要素１２、キーパッドハウジング要素１４又は、その組み合わせたものに取り付けてもよい。
【００３２】
一例としての制御モジュール１１８は、送信機１０６及び受信機１０８に通信可能に接続されたデジタル信号プロセッサ（ＤＳＰ）１１２と、プロセッサ１１４と、ＣＯＤＥＣ１１６とを備える。当業者であれば、送信機モジュール及び受信機モジュールは、典型的には対になっており、送受信機として実現されてもよいことが分かる。
【００３３】
一例としての送信機１０６、受信機１０８又は、送受信機は、ディスプレイハウジング部材１２、キーパッドハウジング部材１４又は、その組み合わせのものにおいて収容されてもよい。一例としての送信機１０６、受信機１０８又は送受信機は、アンテナ要素１０２に通信可能に接続される。
【００３４】
ＤＳＰ１１２は、アンテナ１０２、マルチモード送信機モジュール１０６及び、マルチモード受信機モジュール１０８の制御等、様々な動作を行うように構成されていてもよい。
【００３５】
プロセッサ１１４は、キーパッドハウジング部材１４に関連するキーバッド１２０、メモリ１２１、第１のヒンジセンサ１２２、第２のヒンジセンサ１２３、第１の内部ディスプレイ１８、第２の外部ディスプレイ２４及び、カメラ２６に動作可能に接続されている。また、プロセッサ１１２は、符号化及び復号化の動作を行い、スピーカ又はリンガ１２６、及びマイクロフォン１２８に通信可能に接続されるＣＯＤＥＣモジュール１１４とも動作可能に接続される。ＣＯＤＥＣモジュール１１４も、ディスプレイ１２４と通信可能に接続され、動画用の符号化及び復号化動作を提供する。
【００３６】
第１のヒンジセンサ１２２は、上述したヒンジ組立体に関連するものであり、回転してスクロールアップ、スクロールダウン、ズームイン、ズームアウトの動作を行うことができるフリーホイールを含む一例としてのヒンジ組立体１６に関するユーザ入力を受け付ける。これらは一例であるが、それに限定されるものではない。一例としてのフリーホイールの実施形態においては、フリーホイールは、フリーホイールと接触するユーザによって動かされる又は回転される可動シリンダと関連付けられる。
【００３７】
一例としての第２のヒンジセンサ１２３は、パンレフト及びパンライト及び、選択タップ機能を実行することができるタッチセンサ部と関連付けられる。すでに示したように、タッチ式センサには様々な種類のものがあり、それらは、表面型静電容量式タッチセンサ及び投影型静電容量式タッチセンサを含む静電容量式タッチセンサ、及び抵抗式タッチセンサを含むが、それらに限定はされない。一例としての実施形態においては、タッチセンサオーバーレイは、静電容量式オーバーレイであってもよい。
【００３８】
従って、第１の実施形態においては、タッチセンサ部は、パンレフト及びパンライト及び、選択又はエンター機能に関連する動作を行う。以下に説明する第２の実施形態においては、タッチセンサ部は、スクロールアップ、スクロールダウン、ズームイン及びズームアウト動作も行う。第３のナビゲーションキーの実施形態においては、以下にさらに詳細に説明するように、ヒンジセンサ１２３は、左、右、上、下、選択等のナビゲーションキー指令を受け付けるように構成される。
【００３９】
一例としての第２の実施形態１５０において、ヒンジ組立体１５２は、図５及び図６に示したようにタッチセンサ部１５４を含む。タッチセンサ部は、上述したフリーホイールは含まない。その代わり、タッチセンサ部は、抵抗式タッチセンサや、表面型タッチセンサ及び投影型タッチセンサを含む静電容量式タッチセンサのように静的である。タッチセンサオーバーレイは、静電容量式オーバーレイ又は他の適切なタッチセンサであってもよい。この一例としての実施形態においては、無線通信装置１５０は、フリップモジュール１５６と、ベースモジュール１５８と、タッチセンサ部１５４とを備える。一例としての実施形態１５０において、タッチセンサ部１５４は、円筒状のヒンジ組立体１５２の外面に位置する。
【００４０】
図５では、ヒンジ組立体１５２にある一例としてのタッチセンサ部１５４は、開状態にあり、フリップモジュール１５６は、ベースモジュール１５８から実質的に離れている。内部ディスプレイ１６０は、開状態において眺めることができ、表示されたＵＩは、タッチセンサ部１５４によって制御することができる。
【００４１】
図６において、一例としてのタッチセンサ部１５４は、閉状態にあり、フリップモジュール１５６は、ベースモジュール１５８と連動する。閉状態では、外部ディスプレイ１６２が示され、外部ＵＩも、タッチセンサ部１５４によって制御することができる。
【００４２】
取り込んだ画像又はウェブページ及び他のこうしたビジュアルコンテンツに関して、画像を取り込み、ディスプレイ１６０又は１６２に表示すると、タッチセンサ部１５４は、ズームイン動作及びズームアウト動作を含むズーム機能を実行するように構成されてもよい。また、タッチセンサ部１５４は、スクロールアップ動作及びスクロールダウン動作を行うように構成されていてもよい。さらに、タッチセンサ部１５４は、パンレフト動作及びパンライト動作を含むパン機能を実行するように構成されてもよい。さらに、タッチセンサ部１５４は、１回以上のタッピングをタッチセンサ部で受け付けることで選択の承認をすることを含む選択機能を実行するように構成されていてもよい。
【００４３】
タッチセンサ部１５４は、ナビゲーションキーとしても動作し、ズーム機能、スクロール機能、パン機能、選択機能を含む統合機能を提供してもよい。
【００４４】
図７及び図８を参照すると、ナビゲーションキーの動作を行うナビゲーションヒンジ組立体２０２の一例としての第３の実施形態２００が示されている。図７では、ナビゲーションキー組立体は、閉状態で示され、図８では、ヒンジ組立体が開状態で示されている。
【００４５】
ナビゲーションキーは、モバイルＵＩ及びメニューツリーを空間的に操作するためによく用いられる、一種のファンクションキーである。これらのキーによって、メニュー内で上、下、左、右に動かす能力、又は、テキスト又は数値のディスプレイ内でカーソルを動かす能力が提供される。ナビゲーションキーは典型的には、メインのキーパッドから離れてモバイルハンドセットハウジングの側面に位置する。又は、メインのキーパッドに個々のキーを備えてもよい。ナビゲーションキーは通常、カーソル又はメニューの方向制御を提供する矢印によって特定される。上、下のナビゲーションキーを用いて、メニューオプション内において動かすことが多い。ユーザが一旦メニュー内の所望の位置にナビゲートされると、オプションがエンターキーによって選択される。メニューオプション内で上、下、左、右方向に移動するために左、右のナビゲーションキーを用いてカーソルをディスプレイにおいて動かすこともある。また、左のナビゲーションキーを用いて正しくないデータエントリを削除することも多い。
【００４６】
図７及び図８に提示した一例としての実施形態２００において、ヒンジ組立体２０２は、フリップモジュール２０４を、キーパッド２０８を有するベースモジュール２０６に枢動可能に接続する。フリップモジュール２０４は、内部ディスプレイ２１２を有する前面２１０と外部ディスプレイ２１６を有する背面２１４とを有する。ヒンジ組立体２０２は、回転可能な組立体に関連する回転可能軸を中心として、ベースモジュール２０６に対してフリップモジュール２０４を相対的に回転させることができるように構成された回転可能な組立体を含む。また、内部ディスプレイ２１２及び外部ディスプレイ２１６に示された画像を取り込むように構成されたカメラ２２２が示されている。
【００４７】
一例としての実施形態において、ヒンジ組立体２０２は、スクロール手段、ズーム手段、パン手段、選択手段を含む、複数のナビゲーション指示を受け付けるように構成されたタッチセンサ部を含む。スクロール手段は、スクロールアップ動作及びスクロールダウン動作を含むスクロール機能を実行する。ズーム手段は、ズームイン動作及びズームアウト動作を含む。パン手段は、パンレフト動作及びパンライト動作を含む。選択手段は、選択を受け付ける又は、ナビゲーションキーと同様の指示を入力する。
【００４８】
従って、ヒンジ組立体２０２に関連するタッチセンサ部２２０は、親指又は指からの接触感応による指示を受け付けることによってナビゲーションキーとして動作する。例えば、ズーム手段及びスクロール手段に関連するアップ／ダウン操作は、タッチセンサ部上での上下動作による指示を受け付けることによって行うことができる。パン手段は、左／右操作を模して、タッチセンサ部により左右動作による指示を受け付ける。選択手段は一般的に、タッチセンサ部において、１回以上の押下、すなわち、タッピングを伴う。タッチセンサ部２２０によって行われるこれらの動作は、上矢印キー、下矢印キー、左矢印キー、右矢印キーによって囲まれている中央選択キーを有するナビゲーションキーと同様である。
【００４９】
図８を参照すると、ソフトキーエミュレーション用に用いることができるヒンジ組立体２０２に位置する１つ以上の圧力スイッチも示されている。図８のヒンジ組立体２０２は、ナビゲーションキーとして動作する第１のタッチセンサ部２２０と、第１のタッチセンサ部２２０の各側面に位置する２つの別のタッチセンサ式キー２２４及び２２６を含む。第２のタッチセンサ部２２４は、中央のタッチセンサ部２２０の右側に位置する。第３のタッチセンサ部２２６は、中央のタッチセンサ部２２０の左側に位置する。
【００５０】
図８に提示したソフトキーの実施形態において、左側のタッチセンサ部２２６は、ディスプレイ２１２に示した特定のソフトキー操作２２８に対応する第１のスイッチと関連付けられてもよい。中央のタッチセンサ式キー２２０は、ＯＫキーとして動作することができる。右側のタッチセンサ部２２４は、他のソフトキー操作２３０に対応する第２のスイッチに関連付けることができる。あるいは、左側のタッチセンサ部２２６が左矢印キーとして動作し、右側のタッチセンサ部２２４が右矢印キーとして動作してもよい。
【００５１】
上述した様々な実施形態において、説明したタッチセンサ部は、スイッチ、物理的キー、フリーホイール及び、他の機械的要素等、空間的に動くようになっている機械的要素として動作することができる。また、タッチセンサ部は、静電容量式オーバーレイを有するタッチセンサ部等の、動きはしないが指示を受け付けるよう構成された静止要素を含む。
【００５２】
なお、例として示した実施形態の詳細な説明は、説明のためにだけ提供したものであることを理解されたい。請求項の範囲は、これらの特定の実施形態及び例に限定されるものではない。例えば、スクロールホイール付ヒンジ組立体を説明したが、本開示の解決法は、ヒンジ部品及びディスプレイ部品を有する無線通信装置又は他の電子機器を用いて実現される他のヒンジ組立体に拡大して適用することができる。そのため、様々な構造的制限、要素、詳細、利用法は、上述のものとは異なってもよく、商業的にまだ実現可能でない技術を用いて拡大又は実施することもでき、それらもまた本開示の発明的概念の範囲内である。本発明の範囲は、以下の請求項及びその法的同等物によって限定される。
【図１】
0005422732.tif 000002
【図２】
0005422732.tif 000003
【図３】
0005422732.tif 000004
【図４】
0005422732.tif 000005
【図５】
0005422732.tif 000006
【図６】
0005422732.tif 000007
【図７】
0005422732.tif 000008
【図８】
0005422732.tif 000009